(57)【要約】【課題】データサーバの変更あるいは支社や営業所等の統廃合に容易に対応することができる、管理対象装置の管理システム及びこのシステムに用いられるデータサーバ並びにブランチサーバを提供する。【解決手段】管理対象装置３１〜３３からデータを収集する少なくとも１つのブランチサーバ２１〜２４と、各ブランチサーバの前記データを一極管理するデータサーバ１とを備えた管理対象装置の管理システムである。前記各ブランチサーバ２１〜２４と前記データサーバ１とは、一方が保有するデータを他方も保有するように、データが同期されている。【選択図】  図１
2006106814.tif 000002
【特許請求の範囲】
【請求項１】
管理対象装置からデータを収集する少なくとも１つのブランチサーバと、各ブランチサーバの前記データを一極管理するデータサーバとを備えた管理対象装置の管理システムであって、
前記各ブランチサーバと前記データサーバとは、一方が保有するデータを他方も保有するように、データが同期されていることを特徴とする管理対象装置の管理システム。
【請求項２】
管理対象装置からデータを収集する少なくとも１つのブランチサーバと、各ブランチサーバの前記データを一極管理するデータサーバとを備えた管理対象装置の管理システムであって、
前記データサーバは、各ブランチサーバの前記データを、融合させることなくブランチサーバ毎に分離した状態で保有するとともに、分離したブランチサーバ毎のデータに基づいてデータ全体をまとまりあるものに処理することを特徴とする管理対象装置の管理システム。
【請求項３】
前記各ブランチサーバと前記データサーバとは、一方が保有するデータを他方も保有するように、データが同期されている請求項２に記載の管理対象装置の管理システム。
【請求項４】
ブランチサーバは、管理対象装置から収集したデータのうち送信済みデータを除いた差分データを前記データサーバに送信する請求項１または２に記載の管理対象装置の管理システム。
【請求項５】
ブランチサーバは、データサーバの変更時には、ブランチサーバ内の全てのデータを新データサーバに送信する請求項１または２に記載の管理対象装置の管理システム。
【請求項６】
ユーザによる設定データがユーザ端末からデータサーバに送信可能であり、送信された設定データはデータサーバに反映される請求項１または２に記載の管理対象装置の管理システム。
【請求項７】
前記設定データは、データサーバからブランチサーバに伝達される請求項６に記載の管理対象装置の管理システム。
【請求項８】
データサーバは、ブランチサーバを介することなく直接に、管理対象装置からデータを収集可能である請求項１または２に記載の管理対象装置の管理システム。
【請求項９】
ブランチサーバは、管理対象装置からのデータに応じて、管理対象装置の担当者に連絡可能である請求項１または２に記載の管理対象装置の管理システム。
【請求項１０】
課金計算時の単価データは、ブランチサーバのみが保有するとともに、ブランチサーバはデータサーバからの要求に応じて、前記単価データを送信する請求項１または２に記載の管理対象装置の管理システム。
【請求項１１】
請求項１または２に記載の管理対象装置の管理システムに用いられるデータサーバ。
【請求項１２】
請求項１または２に記載の管理対象装置の管理システムに用いられるブランチサーバ。
【発明の詳細な説明】
【技術分野】
【０００１】
この発明は、画像形成装置を始めとする各種情報機器などの管理対象装置を管理する管理対象装置の管理システム、及びこのシステムに用いられるデータサーバ並びにブランチサーバに関する。
【背景技術】
【０００２】
例えば、本社、支社、営業所といった階層組織を有する会社等において、各支社や営業所がメンテナンス等を担当する１台または複数台の管理対象装置（例えば画像形成装置）を、ブランチサーバを介して本社のデータサーバで管理することにより、全ての管理対象装置を一極管理することが、従来より行われている。
【０００３】
このように、階層的に存在する複数の管理対象装置を一極管理する管理システムとして、従来、第１の管理サーバの持つ管理情報をネットワーク上の第２の管理サーバに送信して管理する２階層形の管理システムと管理情報の提供方法ついて、提案がなされている（特許文献１）。
【特許文献１】特開平１１−３５３１４５号公報
【発明の開示】
【発明が解決しようとする課題】
【０００４】
ところが、従来の管理システムでは、データ一極管理しているデータサーバを新しいものに変更する場合には、変更前のデータサーバからデータをバックアップして新しいデータサーバに移行させるのに膨大な時間が必要であり、管理対象装置を常時監視している管理システムでは、その間管理を停止せざるを得ず、不便であった。
【０００５】
また、支社や営業所等の統廃合等があった場合、消滅する支社等のデータは不要となるため削除する必要があるが、膨大なデータを一括管理する態様では、膨大なデータから削除対象のデータを抽出する作業に時間を要し、非効率であった。
【０００６】
この発明は、このような実情に鑑みてなされたものであり、データサーバの変更あるいは支社や営業所等の統廃合に容易に対応することができる、管理対象装置の管理システム及びこのシステムに用いられるデータサーバ並びにブランチサーバの提供を課題とする。
【課題を解決するための手段】
【０００７】
上記課題は、以下の手段によって解決される。
（１）管理対象装置からデータを収集する少なくとも１つのブランチサーバと、各ブランチサーバの前記データを一極管理するデータサーバとを備えた管理対象装置の管理システムであって、前記各ブランチサーバと前記データサーバとは、一方が保有するデータを他方も保有するように、データが同期されていることを特徴とする管理対象装置の管理システム。
（２）管理対象装置からデータを収集する少なくとも１つのブランチサーバと、各ブランチサーバの前記データを一極管理するデータサーバとを備えた管理対象装置の管理システムであって、前記データサーバは、各ブランチサーバの前記データを、融合させることなくブランチサーバ毎に分離して保有するとともに、分離したブランチサーバ毎のデータに基づいてデータ全体をまとまりあるものに処理することを特徴とする管理対象装置の管理システム。
（３）前記各ブランチサーバと前記データサーバとは、一方が保有するデータを他方も保有するように、データが同期されている前項２に記載の管理対象装置の管理システム。
（４）ブランチサーバは、管理対象装置から収集したデータのうち送信済みデータを除いた差分データを前記データサーバに送信する前項１または２に記載の管理対象装置の管理システム。
（５）ブランチサーバは、データサーバの変更時には、ブランチサーバ内の全てのデータを新データサーバに送信する前項１または２に記載の管理対象装置の管理システム。
（６）ユーザによる設定データがユーザ端末からデータサーバに送信可能であり、送信された設定データはデータサーバに反映される前項１または２に記載の管理対象装置の管理システム。
（７）前記設定データは、データサーバからブランチサーバに伝達される前項６に記載の管理対象装置の管理システム。
（８）データサーバは、ブランチサーバを介することなく直接に、管理対象装置からデータを収集可能である前項１または２に記載の管理対象装置の管理システム。
（９）ブランチサーバは、管理対象装置からのデータに応じて、管理対象装置の担当者に連絡可能である前項１または２に記載の管理対象装置の管理システム。
（１０）課金計算時の単価データは、ブランチサーバのみが保有するとともに、ブランチサーバはデータサーバからの要求に応じて、前記単価データを送信する前項１または２に記載の管理対象装置の管理システム。
（１１）前項１または２に記載の管理対象装置の管理システムに用いられるデータサーバ。
（１２）前項１または２に記載の管理対象装置の管理システムに用いられるブランチサーバ。
【発明の効果】
【０００８】
前項（１）に記載された発明によれば、ブランチサーバとデータサーバとは、常時同一のデータを保有しているから、データサーバを変更した場合には、ブランチサーバの保有しているデータを新データサーバに移行すれば、変更前と同じデータ保有状態を実現できる。従って、変更前のデータサーバから膨大なデータをバックアップする必要はなくなり、その間管理対象装置の管理ができなくなるのを防止できる。
【０００９】
前項（２）に記載された発明によれば、データサーバは、各ブランチサーバのデータを、ブランチサーバ毎に分離して保有するから、支社や営業所等の統廃合によりブランチサーバが不要になったような場合には、分離されているデータの中から不要となったブランチサーバに対応するデータのみをデータサーバから削除等すれば良く、ブランチサーバ全ての全てのデータが融合している場合のような、膨大なデータから所望のデータを分離抽出する作業を不要にでき、削除処理を高速で行うことができ、極めて効率的である。
【００１０】
しかも、データサーバは、分離したブランチサーバ毎のデータに基づいてデータ全体をまとまりあるものに処理することができるから、ユーザはブランチサーバ毎にデータが分離していることを全く意識することなく、まとまりあるデータとして認識することができる。
【００１１】
前項（３）に記載された発明によれば、前項（２）の効果に加えて、データサーバを変更した場合に、変更前のデータサーバから膨大なデータをバックアップする必要はなくなり、その間管理対象装置の管理ができなくなるのを防止できるという効果をも奏することができる。
【００１２】
前項（４）に記載された発明によれば、ブランチサーバは、管理対象装置から収集したデータのうち送信済みデータを除いた差分データを前記データサーバに送信するから、必要最小限のデータを送信するのみでよく、ブランチサーバ側の送信処理、データサーバ側の保存処理を簡素化できる。
【００１３】
前項（５）に記載された発明によれば、データサーバの変更時には、ブランチサーバ内の全てのデータを新データサーバに送信するから、新データサーバはブランチサーバと同一のデータを保有することができる。
【００１４】
前項（６）に記載された発明によれば、ユーザはユーザ端末で入力した設定データを、データサーバに送信して反映させることができる。
【００１５】
前項（７）に記載された発明によれば、設定データはデータサーバからブランチサーバへも伝達されるから、データサーバとブランチサーバとで同一の設定データを保有することができる。
【００１６】
前項（８）に記載された発明によれば、データサーバは、ブランチサーバが故障等した場合であっても、ブランチサーバを介することなく直接に、管理対象装置からデータを収集することができる。
【００１７】
前項（９）に記載された発明によれば、管理対象装置に関して緊急事態が生じた場合には、ブランチサーバは、管理対象装置の担当者に連絡することができる。
【００１８】
前項（１０）に記載された発明によれば、課金計算時の単価データは、ブランチサーバのみが保有するから、単価データを支社や営業所等が独自に運用している場合、これがデータサーバ内に保有されてユーザに閲覧される等の不都合を防止できる。また、ブランチサーバはデータサーバからの要求に応じて、前記単価データを送信するから、必要な場合にはこれをユーザに見せることができる。
【００１９】
前項（１１）に記載された発明によれば、データサーバの変更時や支所、営業所などの統廃合時の処理が容易な管理システムを構築できるデータサーバとなる。
【００２０】
前項（１２）に記載された発明によれば、データサーバの変更時や支所、営業所などの統廃合時の処理が容易な管理システムを構築できるブランチサーバとなる。
【発明を実施するための最良の形態】
【００２１】
以下、この発明の一実施形態を図面に基づいて説明する。
【００２２】
図１は、この発明の一実施形態に係る管理システムの構成図である。なお、この実施形態では、管理対象装置が情報機器であり、情報機器がプリンタ、複写機、ファクシミリ等の画像形成装置である場合を例にとって説明する。
【００２３】
管理システムは、図１に示すように、データサーバ（データセンタともいう）１と、複数のブランチサーバ（ブランチセンタともいう）２１〜２４とが、ネットワーク３を介して直接に接続されている。
【００２４】
データセンタ１は例えば本社に設置され、すべての情報機器の管理データを一極管理している。
【００２５】
前記ブランチセンタ２１〜２４は、支社や営業所等に設置されている。ブランチセンタ２１〜２４には、ブランチセンタ２３について代表して示すように、それぞれのブランチセンタが管理する１台ないし複数台の情報機器（画像形成装置）４１〜４３がネットワーク５を介して接続されている。従って、各ブランチセンタ２１〜２４は、これらの情報機器４１〜４３の管理データ、例えば画像形成を行った回数であるカウント情報等を収集可能である。なお、後述するように、データセンタ１もまたネットワーク３、５を介して直接に、情報機器４１〜４３から管理データを収集可能となっている。
【００２６】
前記データセンタ１にはアプリケーションサーバ６が通信可能に接続されている。このアプリケーションサーバ６は、このアプリケーションサーバ６に接続されたユーザ端末７からのユーザの要求に応じて、データセンタ１に保有されているデータをユーザ端末７に表示させたり、ユーザがユーザ端末７から入力した設定データをデータセンタ１に送信する機能を有する。
【００２７】
前記各ブランチセンタ２１〜２４は、収集した情報機器４１〜４３の管理データ等を蓄積するデータベース２１１〜２４１をそれぞれ備えている。一方、前記データセンタ１には、各ブランチセンタ２１〜２４のデータベース２１１〜２４１と同じデータを有するデータベース１１〜１４を、ブランチセンタ毎に分離した状態で有している。図１では、データセンタ１の各データベース１１、１２、１３、１４が、それぞれ、ブランチセンタ２１のデータベース２１１、ブランチセンタ２２のデータベース２２１、ブランチセンタ２３のデータベース２３１、ブランチセンタ２４のデータベース２４１に対応している。
【００２８】
そして、各ブランチセンタ２１〜２４とデータセンタ１とは、一方が新たなデータを保有すると他方もこれを保有するように、データの同期化が図られている。つまり、あるブランチセンタ２１〜２４が情報機器４１〜４３から収集したデータは、データセンタ１に送信され、データセンタ１における前記各ブランチセンタ２１〜２４に対応するデータベース１１〜１４に同様に保存される。またデータセンタ１に、例えばユーザから所定の設定データが入力された場合には、データセンタ１はその設定データを自身のシステムに反映させるとともに、必要なブランチセンタ２１〜２４にも送信し、ブランチセンタのシステムにも反映させる。
【００２９】
このように、データセンタ１と各ブランチセンタ２１〜２４とで、同じデータを保有するようにデータを同期させ、かつデータセンタ１は各ブランチセンタ２１〜２４と同じデータベースを、各ブランチセンタ２１〜２４毎に、データを融合することなく分離した状態で保有するが、この理由は次のとおりである。
【００３０】
すなわち、データセンタ１の変更があった場合に、新しいデータセンタ１にそれまでのデータを移行させる必要があるが、ブランチセンタ２１〜２４がデータセンタ１と同じデータを保有しておくことで、新しいデータセンタ１に対して各ブランチセンタ２１〜２４が保有しているデータを送信すれば、変更前のデータセンタが保有していたデータと同じデータを容易に保有することができ、すぐに稼働させることができる。従って、変更前のデータセンタから膨大な量のバックアップデータを新データセンタ１に移行させる必要はなくなり、迅速な対応が可能となる。
【００３１】
また、データセンタ１は、各ブランチセンタ２１〜２４と同じ内容のデータベース１１〜１４を、ブランチセンタ２１〜２４毎に分離した状態で保有していることによって、支社や営業所等の統廃合により１個ないし複数個のブランチセンタ２１〜２４が不要になった場合には、データセンタ１は、データベース１１〜１４のうち不要になったブランチセンタに対応するデータベースのみを削除すれば良いことになり、ブランチセンタ２１〜２４の全てのデータが融合している場合のような、膨大なデータから対応するブランチセンタのデータを分離抽出する作業を不要にでき、高速処理が可能となる。
【００３２】
なお、ユーザが閲覧できるデータ等については、データセンタ１が、分離したデータベース１１〜１４の保存データを全体としてまとまりのあるものに処理しており、従ってユーザは、データが分離されていることを意識することなくデータの閲覧を行うことができる。
【００３３】
図２は、データセンタ１と各ブランチセンタ２１〜２４の間のデータの流れを説明するための図である。
【００３４】
図２において、実線矢印はブランチセンタ２１〜２４が情報機器４１〜４３から収集した管理データの流れを示し、破線矢印はユーザによる設定データの流れを示す。
【００３５】
ブランチセンタ２１〜２４は、情報機器４１〜４３から管理データを収集し、実線矢印で示すようにデータセンタ１に送信する。この際に、この実施形態では、各ブランチセンタ２１〜２４は全ての管理データを送信するのではなく、図３に示すように最新の収集データと自身の保持データとの差分データ、換言すれば既にデータセンタ１へ送信済みの収集データを除いた差分データを作成し、この差分データのみをデータセンタ１に送信するようになっている。このため、ブランチセンタ２１〜２４は、必要最小限のデータを送信するのみでよく送信処理を簡素化できる。なお、図３では、情報機器４１〜４３のジャム等の発生を示す管理データを例示しており、発生日時を基に差分データが作成される。
【００３６】
前記差分データを受信したデータセンタ１では、受信した差分データを、対応するブランチ２１〜２４のデータベース１１〜１４に保存蓄積する。この場合も、必要最小限の差分データのみを保存蓄積すればよいから、保存処理を簡素化できる。しかも、データセンタ１とブランチセンタ２１〜２４とで、同一の管理データが保有される。
【００３７】
一方、ユーザがユーザ端末７からアプリケーションサーバ６にアクセスし、例えばユーザアカウント情報、顧客情報等の入力設定を行った場合には、この設定データがアプリケーションサーバ６からデータセンタ１に送信され、データセンタ１のシステムに反映される。同時に、図２に破線矢印で示すように、設定データはデータセンタ１から関連するブランチセンタ２１〜２４にも送信され、ブランチセンタ２１〜２４のシステムに反映される。従って、ユーザによって入力された設定データも、データセンタ１とブランチセンタ２１〜２４とで同一ものとして保有される。
【００３８】
このようにして、データセンタ１とブランチセンタ２１〜２４の間で、データを同期させることができる。
【００３９】
データセンタ１の変更時には、まず、ブランチセンタ２１〜２４のデータ収集処理を停止する。次に、新しいデータセンタ１のアドレスを入力し、データの移行を指示する。ブランチセンタ２１〜２４は新しいデータセンタ１に対してデータの転送先を問い合わせ、指定された転送先に、自身のデータベース２１１〜２１４に保有する全てのデータを送信する。
【００４０】
データの転送が終了すると、ブランチセンタ２１〜２４はデータセンタ１に転送完了を通知する。データセンタ１は転送完了通知を受け取ると、データ転送先としてブランチセンタ２１〜２４に対して指定した場所から転送済みデータを取り出し、新しくデータベース１として追加する。追加処理が完了したら、ブランチセンタ２１〜２４から転送されたデータファイルを消去する。
【００４１】
ブランチセンタ２１〜２４は定期的に自身が転送したファイルをチェックし、消去されたかどうか判断する。消去されていると、データセンタ１による追加処理が完了したと判断し、停止していたデータ収集作業を再開し、データセンタ１の変更前と同じ通常処理を行う。
【００４２】
このような処理が各ブランチセンタ２１〜２４について行われ、変更後のデータセンタ１には、各ブランチ２１〜２４のデータベース２１１〜２４１と同じ内容のデータベース１１〜１４が、各ブランチ毎に分離した状態で存在することになる。
【００４３】
一方、支店等の統廃合により、あるブランチセンタ２１〜２４が不要になった場合には、データセンタ１内の当該ブランチセンタ対応データベースのみが削除される。
【００４４】
次に、ブランチセンタ２１〜２４が何らかの理由により動作不能になった場合は、図４に示すように、データセンタ１はネットワーク３及び５を介して、そのブランチセンタ２１〜２４がデータ収集を行う情報機器４１〜４３に、鎖線矢印で示すように、直接にアクセスしてデータを収集する。これは緊急避難目的での処理であるが、データセンタ１は動作不能となったブランチセンタ２１〜２４と同じデータを保有しているから、データの収集及び保存を不都合なく実行することができる。
【００４５】
また、普段はユーザがアプリケーションサーバ６経由でデータセンタ１内のデータを閲覧しているが、情報機器４１〜４３からトラブル通報等の緊急を要する通報データ（以下、緊急通報データという）がブランチセンタ２１〜２４に送信された場合には、図５に示すように、ブランチセンタ２１〜２４自身が判断して、保守担当者８にメールやファクシミリなどですぐに連絡することができるようになっており、情報機器４１〜４３の緊急時にも即座に対応できるシステムとなる。このために、ブランチセンタ２１〜２４のデータベース２１１〜２４１には、保守担当者のメールアドレスやファクシミリ番号等の連絡先情報が記憶されている。これらの連絡先は、データが同期されているデータセンタ１の対応データベース１１〜１４にも保存されている。
【００４６】
前記緊急通報データは、情報機器４１〜４３でエラーが発生したときに出されるデータであって、紙切れやジャム等の単なるエラー情報ではなく、サービスマンによる補修が必要なエラーであり、たとえばモータのヒューズ切れ、帯電極の異常、トナー搬送異常、定着ローラの高温等のエラーの時に、情報機器４１〜４３が緊急通報データを送信する。
【００４７】
この実施の形態に係る管理システムは、前述したように、データセンタ１とブランチセンタ２１〜２４とが基本的に同じデータを保有しているが、課金計算時の単価データについてはデータセンタ１でも保有しても良いが、本実施の形態ではデータセンタ１は保有せず、ブランチセンタ２１〜２４のみが保有する構成としても良い。
【００４８】
すなわち、ユーザがアプリケーションサーバ６経由で課金情報を閲覧するときは、通常はデータセンタ１内に記憶されている単価データを基に料金計算を行った後、ユーザに閲覧させている。しかし、単価データについては各支所や営業所が独自に運用している場合があり、このような場合には、データセンタ１内に単価データを置くことを拒むケースもあり得る。
【００４９】
そこで、このような場合に対処するため、単価データはブランチセンタ２１〜２４のみが保有し、必要に応じてデータセンタ１が単価データを参照するという構成が可能となっている。
【００５０】
図６は、各ブランチセンタ２１〜２４がデータを受信したときの動作を示すフローチャートである。なお、以下の説明及び図面において、ステップをＳと略記する。
【００５１】
図６において、ブランチセンタ２１〜２４はデータを受信すると、Ｓ１０１において、そのデータがデータセンタ１からか情報機器４１〜４３からかを判断する。情報機器４１〜４３からのデータ受信であればＳ１０２に進み、データセンタ１からのデータ受信であればＳ１１０に進む。
【００５２】
Ｓ１０２では、情報機器４１〜４３からのデータの受信処理を行った後、Ｓ１０３で、受信したデータは緊急通報データか通常データかを判断する。通常データであればＳ１０４に進み、緊急通報データであればＳ１０７に進む。
【００５３】
Ｓ１０４では受信データをデータベース２１１〜２４１に格納した後、Ｓ１０５で受信データと保持データとを比較して差分データを抽出作成する。そして、Ｓ１０６で、差分データをデータセンタ１に送信して動作を終了する。
【００５４】
一方、Ｓ１０３において緊急通報データの場合には、Ｓ１０７で、その情報機器４１〜４３の担当者に連絡すべきデータであるか否かを判断する。担当者に連絡すべきデータでなければ（Ｓ１０７の判断がＮＯ）、Ｓ１０９に進み、そのデータをデータベース２１１〜２４１に格納した後、Ｓ１０６でデータセンタ１にも送信し、動作を終了する。担当者に連絡すべきデータであれば（Ｓ１０７の判断がＹＥＳ）、Ｓ１０８に進み、担当者に連絡した後、Ｓ１０９で、そのデータをデータベース２１１〜２４１に格納し、Ｓ１０６でデータセンタ１に送信する。
【００５５】
Ｓ１０１において、データがデータセンタ１から送信されている場合には、ユーザによる設定データが送られてきているので、Ｓ１１０でデータセンタ１からの設定データを受信した後、Ｓ１１１でブランチセンタ２１〜２４のシステムに設定データを反映させたのち、動作を終了する。
【００５６】
図７は、データセンタ１がデータを受信したときの動作を示すフローチャートである。
【００５７】
図７において、データセンタ１はデータを受信すると、Ｓ２０１において、そのデータがブランチセンタ２１〜２４からかアプリケーションサーバ６からかを判断する。ブランチセンタ２１〜２４からのデータ受信であればＳ２０２に進み、アプリケーションサーバ６からのデータ受信であればＳ２０６に進む。
【００５８】
Ｓ２０２では、ブランチセンタ２１〜２４からのデータの受信処理を行った後、Ｓ２０３で、受信したデータは緊急通報データか通常データかを判断する。通常データであればＳ２０４に進み、緊急通報データであればＳ２０５に進む。
【００５９】
Ｓ２０４では受信データを、対応ブランチセンタ用データベース１１〜１４に格納して動作を終了する。
【００６０】
一方、２０３において緊急通報データの場合には、Ｓ２０５で、そのデータセンタ１の表示装置に画面表示したのち、そのデータをデータベース１１〜１４に格納して動作を終了する。
【００６１】
Ｓ２０１において、データがアプリケーションサーバ６から送信されている場合には、Ｓ２０６でアプリケーションサーバ６からのデータを受信した後、Ｓ２０７でシステムに設定データを反映させる。次いで、ブランチセンタ２１〜２４にも送信して、動作を終了する。
【００６２】
以上、本発明の一実施形態を説明したが、本発明は上記実施形態に限定されることはない。例えば、上記実施形態では、アプリケーションサーバ６をデータセンタ１とは別に備えているものとしたが、データセンタ１内にアプリケーションサーバ機能を備えさせても良い。
【００６３】
また、管理対象装置４１〜４３が画像形成装置である場合を示したが、家電品その他の装置であっても良い。
【図面の簡単な説明】
【００６４】
【図１】この発明の一実施形態に係る管理システム全体の構成図である。
【図２】図１に示した管理システムにおいて、データの流れを示す図である。
【図３】ブランチセンタが、収集した管理対象装置のデータをデータセンタに送信する場合の説明図である。
【図４】データセンタが管理対象装置からせ直接データを収集する場合の説明図である。
【図５】ブランチセンタから管理対象装置の担当者に緊急連絡をする場合の説明図である。
【図６】ブランチセンタがデータを受信したときの動作を示すフローチャートである。
【図７】データセンタがデータを受信したときの動作を示すフローチャートである。
【符号の説明】
【００６５】
１                  データセンタ（データサーバ）
１１〜１４          データベース
２１〜２４          ブランチセンタ（ブランチサーバ）
２１１〜２１４      データベース
３                  ネットワーク
４１〜４３          管理対象装置（情報機器、画像形成装置）
６                  アプリケーションサーバ
７                  ユーザ端末
【図１】
2006106814.tif 000003
【図２】
2006106814.tif 000004
【図３】
2006106814.tif 000005
【図４】
2006106814.tif 000006
【図５】
2006106814.tif 000007
【図６】
2006106814.tif 000008
【図７】
2006106814.tif 000009